(57)【要約】【課題】先行技術においては、記録再生装置の内部の残存記録可能領域を有効に活用しているとはいえず、また外部記録装置においてスムーズに継続記録を行うことが難しかった。【解決手段】  記録再生装置（ＴＶ）内の残存記録可能容量が十分なときは、記録再生装置の内部記録媒体（メモリやＨＤ）に記録するが、記録再生装置内の残存記録可能容量が減ってきたときは記録再生装置の内部記録媒体に記録しつつ、外部記録装置（レコーダー）に継続記録の準備をさせる。さらに、記録再生装置の残存記録可能容量がなくなったときは、外部記録再生装置に継続記録を開始させる。当該構成とすることにより、記録再生装置の残存記録可能領域を有効に活用しつつ、外部記録装置においてスムーズに継続記録を行うことが可能になる。【選択図】図１
2011211637.tif 000002
【特許請求の範囲】
【請求項１】
映像を受信可能な映像受信部と、
映像を表示出力する表示出力部と、
外部記録装置と映像の入出力を行う映像入出力部と、
映像を内部記録媒体に記録可能な内部記録部と、
内部記録媒体の残存記録可能容量を監視する残存記録可能容量監視部と、
内部記録中に残存記録可能容量監視部での監視結果が内部記録媒体の残存記録可能容量が所定容量よりも少なくなったとの監視結果である場合に、外部記録装置に対して継続記録の準備命令を送信する継続記録準備命令送信部と、
内部記録中に残存記録可能容量監視部での監視結果が内部記録媒体の記録可能容量がなくなるとの監視結果である場合に、外部記録装置に対して継続記録の開始命令を送信する継続記録開始命令送信部と、
からなる記録再生装置。
【請求項２】
記録再生装置の内部記録媒体から外部記録装置の外部記録媒体にまたがって一のコンテンツが継続記録されている場合に、そのコンテンツの内部記録媒体での残存再生可能量を監視する残存再生可能量監視部と、
残存再生可能量監視部での監視結果が内部記録媒体での残存再生可能量が所定量よりも少なくなったとの監視結果である場合に、外部記録装置に対してこのコンテンツの継続再生出力の準備命令を送信する継続再生準備命令送信部と、
残存再生可能量監視部での監視結果が内部記録媒体での残存再生可能量がなくなるとの監視結果である場合に、外部記録装置に対して継続再生出力の開始命令を送信する継続再生開始命令送信部と、
を有する請求項１に記載の記録再生装置。
【請求項３】
記録再生装置の内部記録媒体から外部記録装置の外部記録媒体にまたがって一のコンテンツが継続記録されている場合に、そのコンテンツの外部記録媒体での巻戻し再生可能量を監視する巻戻再生可能量監視部と、
巻戻再生可能量監視部での監視結果が外部記録媒体での巻戻し再生可能量が所定量よりも少なくなったとの監視結果である場合に、このコンテンツの継続巻戻し再生が直ちに可能となるスタンバイ状態にする継続巻戻再生スタンバイ処理部と、
巻戻再生可能量監視部での監視結果が外部記録媒体での巻戻し再生可能量がなくなるとの監視結果である場合に、このコンテンツの継続巻戻し再生を開始する継続巻戻再生開始部と、
を有する請求項１又は２に記載の記録再生装置。
【請求項４】
表示出力部は、映像受信部が受信した映像のコンテンツを内部記録部又は外部記録装置の外部記録部により記録を行いながら、同じコンテンツについて記録に遅れて内部記録媒体又は外部記録媒体から再生出力可能な時間差再生出力手段を有する請求項１から３のいずれか一に記載の記録再生装置。
【請求項５】
複数の外部記録装置の継続記録が行われるべき優先順位を取得する優先順位取得部と、
優先順位取得部により取得された優先順位に従って、映像入出力部と継続記録準備命令送信部と継続記録開始命令送信部とを制御する優先制御部と、
をさらに有する請求項１から４のいずれか一に記載の記録再生装置。
【請求項６】
請求項１に記載の記録再生装置の外部記録に利用される外部記録装置であって、
記録再生装置と映像の入出力を行う外部映像入出力部と、
外部映像入出力部にて取得した映像を記録する外部記録部と、
記録再生装置の継続記録準備命令送信部から送信される継続記録の準備命令を受信する継続記録準備命令受信部と、
継続記録準備命令受信部にて受信した継続記録の準備命令に従って、外部記録部の継続記録が直ちに可能となるスタンバイ状態にする継続記録スタンバイ処理部と、
記録再生装置の継続記録開始命令送信部から送信される継続記録の開始命令を受信する継続記録開始命令受信部と、
継続記録開始命令受信部にて受信した継続記録の開始命令に従って、外部映像入出力部にて取得した映像を外部記録部に記録させる記録開始部と、
を有する外部記録装置。
【請求項７】
請求項１に記載の記録再生装置に代えて請求項２に記載の記録再生装置の外部記録に利用される外部記録装置であって、
記録再生装置の継続再生準備命令送信部から送信される継続再生出力の準備命令を受信する継続再生準備命令受信部と、
継続再生準備命令受信部にて受信した継続再生出力の準備命令に従って、記録再生装置に対するコンテンツの継続再生出力が直ちに可能となるスタンバイ状態にする外部継続再生スタンバイ処理部と、
記録再生装置の継続再生開始命令送信部から送信される継続再生出力の開始命令を受信する継続再生開始命令受信部と、
継続再生開始命令受信部にて受信した継続再生出力の開始命令に従って、記録再生装置に対するコンテンツの継続再生出力を開始する外部継続再生開始部と、
をさらに有する請求項６に記載の外部記録装置。
【請求項８】
請求項１に記載の記録再生装置と、請求項６に記載の外部記録装置と、からなる記録再生システム。
【請求項９】
請求項２に記載の記録再生装置と、請求項７に記載の外部記録装置と、からなる記録再生システム。
【発明の詳細な説明】
【技術分野】
【０００１】
本発明は、記録再生装置、外部記録装置、記録再生システムに関する。
【背景技術】
【０００２】
ＨＤＤ（Hard Disk Drive）やメモリなどの記録デバイスの大容量化に伴って、ＴＶなどの記録再生装置にこれらの記録デバイスを内蔵する構成が利用されるようになってきている。しかしながら、ハイビジョン映像のようにデータサイズの大きな映像を記録する機会も同時に増えており、上記記録デバイスの容量に制限があることによる不都合性は依然として存在している。
【０００３】
このような場合において、先行文献１においては、録画すべき映像データをハードディスク録画再生装置に保存する前に保存可能な空き容量がないと判断した場合は、インターネットを介して設置してあるサーバに録画すべき映像データを保存する構成などが開示されている。当該構成とすることによって、ハードディスク録画再生装置の記憶容量不足による録画逃しを防止することが可能になるものである。
【先行技術文献】
【特許文献】
【０００４】
【特許文献１】特開２００９−１５１８４２
【発明の概要】
【発明が解決しようとする課題】
【０００５】
しかしながら、上記のような先行技術においては、記録再生装置において所定量の記録可能容量が残存しているにもかかわらず、記録を開始する段階において残存記録可能容量が記録すべきコンテンツの容量よりも小さいと判断した場合は他の記録装置により記録させる構成であり、記録再生装置の内部の残存記録可能領域を有効に活用しているとはいえなかった。一方、記録再生装置の内部の残存記録可能領域を有効に活用しようとすると、当該残存記録可能容量がなくなったときにおいて他の記録装置がスムーズに継続記録を行うことが難しかった。
【課題を解決するための手段】
【０００６】
以上の課題を解決するために、映像を受信可能な映像受信部と、映像を表示出力する表示出力部と、外部記録装置と映像の入出力を行う映像入出力部と、映像を内部記録媒体に記録可能な内部記録部と、内部記録媒体の残存記録可能容量を監視する残存記録可能容量監視部と、内部記録中に残存記録可能容量監視部での監視結果が内部記録媒体の残存記録可能容量が所定容量よりも少なくなったとの監視結果である場合に、外部記録装置に対して継続記録の準備命令を送信する継続記録準備命令送信部と、内部記録中に残存記録可能容量監視部での監視結果が内部記録媒体の記録可能容量がなくなるとの監視結果である場合に、外部記録装置に対して継続記録の開始命令を送信する継続記録開始命令送信部と、
からなる記録再生装置などを提案するものである。
【０００７】
また、上記記載の記録再生装置の外部記録に利用される外部記録装置であって、記録再生装置と映像の入出力を行う外部映像入出力部と、外部映像入出力部にて取得した映像を記録する外部記録部と、記録再生装置の継続記録準備命令送信部から送信される継続記録の準備命令を受信する継続記録準備命令受信部と、継続記録準備命令受信部にて受信した継続記録の準備命令に従って、外部記録部の継続記録が直ちに可能となるスタンバイ状態にする継続記録スタンバイ処理部と、記録再生装置の継続記録開始命令送信部から送信される継続記録の開始命令を受信する継続記録開始命令受信部と、継続記録開始命令受信部にて受信した継続記録の開始命令に従って、外部映像入出力部にて取得した映像を外部記録部に記録させる記録開始部と、を有する外部記録装置などを提案するものである。
【０００８】
また、上記の記録再生装置と、上記の外部記録装置と、からなる記録再生システムなどを提案するものである。
【発明の効果】
【０００９】
以上のような記録再生装置及び外部記録装置を記録再生システムの構成として用いることにより、一のコンテンツが記録再生装置の内部の記録媒体に全て記録できない場合であっても、記録再生装置の内部の残存記録可能領域を有効に利用しつつ、外部記録装置がコンテンツの続きをスムーズに継続記録することが可能になる。
【図面の簡単な説明】
【００１０】
【図１】実施例１の記録再生システムの概要を示す図
【図２】実施例１の記録再生装置の機能ブロックの一例を示す図
【図３】実施例１の記録再生装置のハードウェア構成の一例を示す図
【図４】実施例１の記録再生装置の処理の流れの一例を示す図
【図５】実施例１の外部記録装置の機能ブロックの一例を示す図
【図６】実施例１の外部記録装置のハードウェア構成の一例を示す図
【図７】実施例１の外部記録装置の処理の流れの一例を示す図
【図８】実施例２の記録再生システムの概要を示す図
【図９】実施例２の記録再生装置の機能ブロックの一例を示す図
【図１０】実施例２の記録再生装置が保持するテーブルデータの一例を示す図
【図１１】実施例２の記録再生装置の処理の流れの一例を示す図
【図１２】実施例２の外部記録装置の機能ブロックの一例を示す図
【図１３】実施例２の外部記録装置の処理の流れの一例を示す図
【図１４】実施例３の記録再生システムの概要を示す図
【図１５】実施例３の記録再生装置の機能ブロックの一例を示す図
【図１６】実施例３の記録再生装置の処理の流れの一例を示す図
【図１７】実施例４の記録再生システムの概要を示す図
【図１８】実施例４の記録再生装置の機能ブロックの一例を示す図
【図１９】実施例４の記録再生装置の保持する優先順位の情報の一例を示す図
【図２０】実施例４の記録再生装置の処理の流れの一例を示す図
【発明を実施するための形態】
【００１１】
以下に、本発明の実施例を説明する。実施例と請求項の相互の関係は、以下のとおりである。実施例１は主に請求項１、４、６、８などに関し、実施例２は主に請求項２、４、７、９などに関し、実施例３は主に請求項３などに関し、実施例４は主に請求項５などに関する。なお、本発明はこれら実施例に何ら限定されるものではなく、その要旨を逸脱しない範囲内において、様々な態様で実施しうる。
【実施例１】
【００１２】
<概要>
図１は、本実施例の記録再生装置と外部記録装置からなる記録再生システムの概要を示す図である。この図に示すように、記録再生装置（ＴＶ）内の残存記録可能容量が十分なときは、記録再生装置の内部記録媒体（メモリやＨＤ）に記録するが、記録再生装置内の残存記録可能容量が減ってきたときは記録再生装置の内部記録媒体に記録しつつ、外部記録装置（レコーダー）に継続記録の準備をさせる。さらに、記録再生装置の残存記録可能容量がなくなったときは、外部記録再生装置に継続記録を開始させる。当該構成とすることにより、記録再生装置の残存記録可能領域を有効に活用しつつ、外部記録装置においてスムーズに継続記録を行うことが可能になる。
【００１３】
<構成：記録再生装置>  
図２は、本実施例の記録再生装置の機能ブロックの一例を示す図である。この図にあるように、本実施例の「記録再生装置」０２００は、「映像受信部」０２０１と、「表示出力部」０２０２と、「映像入出力部」０２０３と、「内部記録部」０２０４と、「残存記録可能容量監視部」０２０５と、「継続記録準備命令送信部」０２０６と、「継続記録開始命令送信部」０２０７と、から構成される。
【００１４】
なお、以下に記載する装置の機能ブロックは、ハードウェア、ソフトウェア、又はハードウェア及びソフトウェアの両方として実現され得る。また、この発明は装置として実現できるのみでなく、方法としても実現可能である（本明細書の全体を通じて同様である）。
【００１５】
記録再生装置としては、ＴＶの他に、携帯電話装置や、ＰＤＡ、電子ブックリーダー、パーソナルコンピュータなど、種々の装置が考えられ、下記で説明する構成を有するものであれば特に限定されるものではない。
【００１６】
「映像受信部」は、映像を受信可能な機能を有する。映像受信部は、例えばアンテナやチューナ、エンコーダ、ネットワークインターフェイス、などから構成される。受信される映像としては、テレビ番組放送や、インターネット回線を介して受信する映像コンテンツ、ＵＳＢメモリや光ディスク等から取得する映像、外部記録装置の他の外部装置からローカルネットワークを介して受信する映像コンテンツなど、種々のものが考えられる。
【００１７】
「表示出力部」は、映像を表示出力する機能を有する。表示出力部は、例えば映像処理回路やディスプレイ制御回路などから構成される。なお、出力先のディスプレイとしては、液晶ディスプレイ、有機ＥＬディスプレイ、無機ＥＬディスプレイ、プラズマＴＶ/ディスプレイ等の種々のものが考えられる。なお、表示出力先は、他の装置が備えるディスプレイとすることも可能であり、例えば携帯端末に対して有線又は無線の通信回線を介して出力することが考えられる。
【００１８】
上記表示出力部は、時間差再生出力手段を有する構成とすることも可能である。「時間差再生出力手段」は、映像受信部が受信した映像のコンテンツを内部記録部又は外部記録装置の外部記録部により記録を行いながら、同じコンテンツについて記録に遅れて内部記録媒体又は外部記録媒体から再生出力可能な機能を有する。つまり、コンテンツの記録が終了する前に、それまで記録されたコンテンツの一部について再生・早送り・巻戻し等を行うことが可能である。例えば記録再生装置において所定容量以上の記録用バッファと再生用バッファをそれぞれ設け、受信した映像の記録と再生する映像の読み出しを交互に行うことによっても実現可能である。なお、映像の記録は外部記録装置に対して行いつつ、映像の読出しを記録再生装置の内部記録媒体から行う状況もある。この場合、記録すべき映像を外部記録装置に出力しつつ、再生すべき映像を内部記録媒体から読み出して表示出力する。
【００１９】
「映像入出力部」は、外部記録装置と映像の入出力を行う機能を有する。映像入出力部は、例えば、通信系バス（ＨＤＭＩケーブル等）や当該通信系インターフェイスなどから構成される。ここで、外部記録装置は一つに限定されるものではなく、複数とすることも可能である。この場合は、映像を出力すべき外部記録装置を選択する処理を行った上で、出力することが考えられる。当該選択する処理においては、外部記録装置の記録媒体の残存容量の大きい順に選択するルールを用いることも可能であるし、予め定められた優先順位に従うことなども可能である。
【００２０】
映像入出力部は、ＣＰＵやＭＰＵなどの制御を受けて映像の入出力を行うことが可能である。例えば、下記で説明する記録再生装置の内部記録媒体の記録可能容量がなくなった場合、外部記録装置において記録すべき映像を出力することが可能である。また、外部記録装置に記録された映像を記録再生装置において再生する場合は、外部記録装置から映像のデータを受信して表示出力部に伝送することが可能である。外部記録装置に対する映像の出力や、外部記録装置からの映像の入力のタイミングに関しても、記録再生装置の他の構成部と同期を取ることにより適切に行うことが可能である。
【００２１】
「内部記録部」は、映像を内部記録媒体に記録可能な機能を有する。内部記録媒体としては、ＨＤ（Hard Disk ）等の磁気ディスクや、ＤＶＤ（ Digital Versatile Disk ）、ＢＤ（ Blue-ray Disk：登録商標）等の光ディスク、フラッシュメモリ等の半導体メモリなどが考えられる。ただし、記録媒体としての機能を有するものであれば特にこれに限定されるものではない。内部記録媒体は、例えば記録再生装置においてデフォルト設定状態で記録される記録媒体であり、内部独自規格により短時間でアクセス可能なものとすることが考えられる。
【００２２】
「残存記録可能容量監視部」は、内部記録媒体の残存記録可能容量を監視する機能を有する。残存記録可能容量監視部は、例えばＣＰＵやＭＰＵなどから構成される。ここで、残存記録可能容量とは、記録することが可能な残りの容量を意味する。残存記録可能容量監視部は、当該残存記録可能容量を検出し、検出結果を継続記録準備命令送信部や継続記録開始命令送信部に出力する。残存記録可能容量の監視は、例えば内部記録媒体に対する記録や消去の操作に応じて残存記録可能領域と残存記録可能容量等のデータをその都度修正し、必要に応じて当該データを参照することにより実現可能である。
【００２３】
「継続記録準備命令送信部」は、内部記録中に残存記録可能容量監視部での監視結果が内部記録媒体の残存記録可能容量が所定容量よりも少なくなったとの監視結果である場合に、外部記録装置に対して継続記録の準備命令を送信する機能を有する。継続記録準備命令送信部は、例えばＣＰＵやＭＰＵ、通信系インターフェイス（有線又は無線を含む）などから構成される。なお、映像の伝送と制御命令の送信はＨＤＭＩ等の通信手段を利用することにより同一ハードウェアで行うことも可能であるし、別々のハードウェアで行うことも可能である（以下で説明するその他の命令送信部、命令受信部等についても同様である）。
【００２４】
上記継続記録準備命令送信部の判断基準となる所定容量の値としては、例えば外部記録装置が継続記録の準備に要する最大時間（電源ＯＦＦの状態から継続記録が可能となる状態にまで要する時間）を利用して設定することができる。つまり、当該最大時間の間に内部記録媒体に記録される映像データの量を基準とすることが考えられる。当該所定容量の値は、外部記録装置の状態・種類などによって変わるものであり、継続記録が可能になるまでの時間を記録再生装置の計時手段によって計時し、外部記録装置の状態・種類に応じて上記判断基準となる所定容量の値を変更することも可能である。
【００２５】
継続記録の準備命令としては、外部記録装置がスリープ状態である場合はスタンバイ状態にするための命令や、記録可能な外部記録媒体が挿入されているか判断するための命令、外部記録媒体が正常に機能するか検知するための命令、など継続した記録が正常に行えるようにするための命令が考えられる。
【００２６】
また、上記命令の他に、スムーズに継続記録を行うための命令を送信することも可能である。例えば、外部記録装置のディスク管理情報を取得して、記録を開始すべきアドレスを特定するための命令や、記録用ヘッドに通電させ、記録パワーを定めていつでも記録用レーザーを発射可能な状態にしておくための命令、記録開始前に行う試行記録処理を済ませておくための命令、記録再生装置の内部記録部による記録の終了と外部記録装置の外部記録部による記録の開始を同期させるための命令なども考えられる。なお、所定の映像コンテンツについて継続記録が行われた場合において、当該情報はディスク管理情報として外部記録装置にて保持される。なお、外部記録装置において上記処理を行うための制御プログラムを予め保持している場合は、記録再生装置から当該制御プログラムを起動するための命令を送信する構成とすることも可能である。
【００２７】
「継続記録開始命令送信部」は、内部記録中に残存記録可能容量監視部での監視結果が内部記録媒体の残存記録可能容量がなくなるとの監視結果である場合に、外部記録装置に対して継続記録の開始命令を送信する機能を有する。継続記録開始命令送信部は、例えばＣＰＵやＭＰＵ、通信系インターフェイス（有線又は無線を含む）などから構成される。なお、送信手段としては、継続記録準備命令送信部と同様に、ＨＤＭＩ規格のケーブル等を介してデータ送信する構成が考えられるが、その他の有線又は無線の通信手段によって送信することも可能である。
【００２８】
ここで、内部記録媒体の記録可能容量がなくなるとの監視結果は、例えば継続記録準備命令送信部と同様に、内部記録中に残存記録可能容量監視部での監視結果が内部記録媒体の残存記録可能容量が第二の所定容量よりも少なくなったとの監視結果とすることも可能である。また、内部記録媒体の記録可能容量がなくなるとの監視結果が出力されると同時に映像入出力部を介して記録すべき映像を外部記録装置に出力し、外部記録装置においては継続記録の開始命令に従って継続記録を開始する。
【００２９】
なお、外部記録装置において継続記録を行ったあとに内部記録媒体の残存記録可能容量が所定容量以上にまで回復した場合（不要な記録データの消去を行った場合など）において、外部記録装置に継続記録した映像を内部記録媒体の空いた領域に自動又は手動で記録可能な構成とすることも考えられる。また、複数の外部記録装置が存在する場合において、内部記録媒体に記録された映像と継続記録が行われた外部記録装置の映像を、記録可能容量が十分にある他の外部記録装置の記録媒体に自動又は手動でまとめて一括記録可能な構成とすることも考えられる。
【００３０】
また、本実施例では、記録再生装置の内部記録媒体に対して記録を行っている際に記録再生装置から外部記録装置への継続記録をシームレスに行うための構成を示したが、外部記録装置の記録媒体に対して記録を行っている際に外部記録装置から記録再生装置への継続記録をシームレスに行うための構成に置き換えることも可能である。例えば、外部記録装置の記録媒体（外部記録媒体）の残存記録可能容量を監視する外部残存記録可能容量監視部と、外部記録中に外部残存記録可能容量監視部での監視結果が外部記録媒体の残存記録可能容量が所定容量よりも少なくなったとの監視結果である場合に、記録再生装置において継続記録の準備を開始する内部継続記録準備開始部と、外部記録中に外部残存記録可能容量監視部での監視結果が外部記録媒体の残存記録可能容量がなくなるとの監視結果である場合に、記録再生装置において継続記録を開始する内部継続記録開始部と、を別に設ける構成などが考えられる。
【００３１】
<具体的な構成>
図３は、本実施例の記録再生装置の機能的な各構成要素をハードウェアとして実現した際の構成の一例を示す概略図である。この図を利用して、ハードウェア構成部の働きについて説明する。
【００３２】
この図にあるように、記録再生装置は、「ＣＰＵ）」０３０１と、「ＲＯＭ」０３０２と、「ＲＡＭ」０３０３と、「チューナ」０３０４と、「画像／音声処理回路」０３０５と、「ドライブ（ＨＤＤ：１ＴＢ）」０３０６と、「インターフェイス」０３０７と、「ＨＤＭＩインターフェイス」０３０８と、「表示制御回路」０３０９と、「ディスプレイ」０３１０、「赤外線受光部」０３１１、を備える。上記の構成は、「システムバス」０３１２のデータ通信経路によって相互に接続され、情報の送受信や処理を行う。
【００３３】
ＣＰＵは、ＲＯＭに格納されているプログラムにより各構成を制御する。ＲＡＭは、ＣＰＵが各構成を制御する際に必要なデータの書き込みや読み出しが行われ、揮発性メモリ等で構成されるものである。ＨＤＭＩインターフェイス（ＨＤＭＩ端子等）は、映像・音声を入出力することが可能であり、さらにＣＥＣ（Consumer Electronics Control）制御方式を利用して接続先の外部記録装置と制御信号の送受信を行うことも可能である。
【００３４】
記録再生装置は、リモコン装置から電源ＯＮの信号を赤外線受光部にて受光した場合や、電源スイッチのＯＮ操作を受け付けた場合、電源をＯＮにする。そして、ＣＰＵは、リモコン装置から赤外線受光部を介して録画予約の処理を受け付けた場合、当該情報を録画予約情報として保持する処理を行う。さらに当該録画予約情報に基づいて該当する時間において該当する映像の録画処理を行う。ここで、チューナは、図示しないアンテナにより受信された複数の映像の信号から、録画予約で選択されたチャンネルの信号を抽出し、画像／音声処理回路に出力する。そして、画像／音声処理回路により処理された映像のデータは内部記録装置に出力され、記録媒体の所定のアドレスから記録される。
【００３５】
ＣＰＵは、映像のデータが内部記録装置により記録されている際に、内部記録媒体の残存記録可能容量の情報を更新しながら監視する処理を行う。さらに、ＣＰＵは、ＲＯＭに記録されている第一基準容量のデータをＲＡＭに読み出して、残存記録可能容量が当該第一基準容量（例えば、５０ＭＢ）よりも少なくなっているか否か判断する処理を行う。ここでの処理において、残存記録可能容量が第一基準容量よりも少なくなっているとの判断結果である場合は、外部記録装置に対して継続記録を行うための準備命令を送信する処理を行う。
【００３６】
さらに、ＣＰＵは、ＲＯＭに記録されている第二基準容量のデータをＲＡＭに読み出して、残存記録可能容量が第二基準容量よりも少なくなっているか否かを判断する処理を行う。当該第二基準容量は、第一基準容量の値よりも小さいものであり、コンテンツのデータの出力先を切り替えるための基準となる値である。ここでの処理において、残存記録可能容量が第二基準容量（例えば、５ＭＢ）よりも少なくなっているとの判断結果である場合は、外部記録装置に対して継続記録の開始命令を送信する処理を行う。同時に、画像／音声処理回路により処理された映像のデータを、外部記録装置に対して出力する処理を行う。なお、記録が内部記録媒体にて行われているのか、外部記録装置にて行われているのかをディスプレイにおいてアイコンや文字等で表示する処理を行うことも可能である。
【００３７】
なお、映像コンテンツの録画中に当該コンテンツの追いかけ再生（タイムシフト再生）を行う場合は、内部録画媒体に記録されたコンテンツのデータを表示制御回路を介してディスプレイに表示出力する処理を行う。また、外部記録装置に録画されたコンテンツの追いかけ再生を行う場合は、外部記録装置から当該コンテンツデータを取得し、表示制御回路を介してディスプレイに対して表示出力する処理を行う。
【００３８】
<処理の流れ：記録再生装置>
図４は、本実施例の記録再生装置の処理の流れの一例を示す図である。同図の処理の流れは以下のステップからなる。まず、ステップＳ０４０１において、内部記録中に内部記録媒体の残存記録可能容量が所定容量よりも少なくなったか否か判断する処理を行う。ここでの判断が所定容量よりも少なくなったとの判断である場合は、ステップＳ０４０２に進む。ここでの判断が所定容量よりも少なくなっていないとの判断である場合は、待機する。ステップＳ０４０２では、外部記録装置に対して継続記録の準備命令を送信する処理を行う。さらにステップＳ０４０３では、内部記録媒体の記録可能容量がなくなるか否か判断する処理を行う。ここでの判断がなくなるとの判断である場合は、ステップＳ０４０４に進む。ここでの判断がなくなるとの判断でない場合は、待機する。ステップＳ０４０４では、外部記録装置に対して継続記録の開始命令を送信する処理を行う。
【００３９】
<構成：外部記録装置>
図５は、本実施例の外部記録装置の機能ブロックの一例を示す図である。この図にあるように、本実施例の「外部記録装置」０５００は、「外部映像入出力部」０５０１と、「外部記録部」０５０２と、「継続記録準備命令受信部」０５０３と、「継続記録スタンバイ処理部」０５０４と、「継続記録開始命令受信部」０５０５と、「記録開始部」０５０６と、から構成される。
【００４０】
上記外部記録装置は、本実施例の記録再生装置に対応して利用される記録装置である。当該外部記録装置としては、主として外付けの記録装置を想定しており、ＨＤＤ装置や、ＤＶＤ装置、ＢＤ装置、半導体メモリ装置のみならず、内部記録媒体を有するその他の記録再生装置や、パーソナルコンピュータなど記録手段を備える種々の装置が考えられる。
【００４１】
「外部映像入出力部」は、記録再生装置と映像の入出力を行う機能を有する。当該外部映像入出力は、例えば、記録再生装置の映像入出力部と同様に、通信系インターフェイス（ＨＤＭＩ端子等）から構成される。外部映像入出力部は、ＣＰＵやＭＰＵなどにより制御され、適当なタイミングにおいて映像の入出力を行うことが可能である。例えば、記録再生装置から受信した映像を適切なタイミングで外部記録部に出力するように受信した映像を一時的に記録用バッファに保持したり、記録再生装置に対して適切なタイミングで映像を出力するように映像を一時的に読出用バッファに保持したりすることも可能である。
【００４２】
なお、外部映像入出力部は、下記で説明する外部記録部において映像のコンテンツの記録を行いながら、同じコンテンツについて記録に遅れて記録再生装置に対して出力する機能を有する外部時間差出力手段を設ける構成も可能である。つまり、コンテンツの記録が終了する前に、それまで記録されたコンテンツの一部について記録再生装置に対して出力することが可能である。例えば外部記録装置において所定容量以上の記録用バッファと読出用バッファをそれぞれ設け、記録再生装置から受信する映像の記録と記録再生装置に対して出力する映像の読み出しを交互に行うことによっても実現可能である。
【００４３】
「外部記録部」は、外部映像入出力部にて取得した映像を記録する機能を有する。外部記録媒体としては、記録再生装置の内部記録部と同様に、ＨＤＤや、ＤＶＤ（ Digital Versatile Disk ）、ＢＤ（ Blue-ray Disk：登録商標）等の光ディスク、フラッシュメモリ等の半導体メモリなどが考えられる。また、複数の記録媒体を駆動可能なように、複数のドライブを設ける構成も考えられる。
【００４４】
外部記録媒体の記録可能領域や記録可能容量の情報は、例えば外部記録部により映像の記録・消去等の履歴を利用して出力する構成とすることも可能である。記録再生装置は、当該情報を取得することにより外部記録装置の状態を検知することができる。
【００４５】
「継続記録準備命令受信部」は、記録再生装置の継続記録準備命令送信部から送信される継続記録の準備命令を受信する機能を有する。継続記録準備命令受信部は、例えばＣＰＵやＭＰＵ、通信系インターフェイス（有線又は無線を含む）などから構成される。なお、当該通信手段の構成は記録再生装置の継続記録準備命令送信部の通信手段に対応するものである。
【００４６】
「継続記録スタンバイ処理部」は、継続記録準備命令受信部にて受信した継続記録の準備命令に従って、外部記録部の継続記録が直ちに可能となるスタンバイ状態にする機能を有する。継続記録スタンバイ処理部は、例えばＣＰＵやＭＰＵなどから構成される。ここで継続記録が直ちに可能となるスタンバイ状態とは、継続記録の開始命令の受信と同時に継続記録が開始可能な状態をいう。
【００４７】
記録再生装置に記録されたコンテンツ内容の続きを外部記録装置においてシームレスに継続記録するために、内部記録装置の記録終了タイミングの情報を継続記録の準備命令の一部として取得し、記録再生装置と同期を取ることも可能である。また、ディスク管理情報を取得して、記録を開始すべきアドレスを特定する処理を行ったり、記録用ヘッドに通電させ、記録パワーを定めていつでも記録用レーザーを発射可能な状態にしたり、試行記録処理を済ませておいたりすることが考えられる。
【００４８】
ここで、外部記録媒体が挿入されていない場合や、外部記録媒体の残存容量が所定容量以下である場合は、当該情報を外部記録装置において表示出力したり、音声出力したりする構成も可能である。また、当該情報を記録再生装置に出力する構成も可能である。
【００４９】
「継続記録開始命令受信部」は、記録再生装置の継続記録開始命令送信部から送信される継続記録の開始命令を受信する機能を有する。継続記録開始命令受信部は、例えばＣＰＵやＭＰＵ、通信系インターフェイス（有線又は無線を含む）などから構成される。なお、当該通信手段の構成は記録再生装置の継続記録開始命令送信部の通信手段に対応するものである。
【００５０】
「記録開始部」は、継続記録開始命令受信部にて受信した継続記録の開始命令に従って、外部映像入出力部にて取得した映像を外部記録部に記録させる機能を有する。記録開始部は、例えば、ＣＰＵやＭＰＵなどから構成される。
【００５１】
<具体的な構成>
図６は、本実施例の装置の機能的な各構成要素をハードウェアとして実現した際の構成の一例を示す概略図である。この図を利用して、ハードウェア構成部の働きについて説明する。
【００５２】
この図にあるように、外部記録装置は、「ＣＰＵ）」０６０１と、「ＲＯＭ」０６０２と、「ＲＡＭ」０６０３と、「ドライブ（ＨＤＤ等）」０６０４と、「インターフェイス」０６０５と、「ＨＤＭＩインターフェイス」０６０６と、「赤外線受光部」０６０７、を備える。上記の構成は、「システムバス」０６０８のデータ通信経路によって相互に接続され、情報の送受信や処理を行う。
【００５３】
ＣＰＵは、記録再生装置から継続記録の準備命令を受信した場合、継続記録が直ちに可能となるスタンバイ状態にする処理を行う。具体的には、外部記録装置のドライブに挿入されているディスクのディスク管理情報を取得して、記録を開始すべきアドレスを特定する処理を行う。そして、記録用ヘッドに通電させ、記録パワーを定めていつでも記録用レーザーを発射可能な状態にし、試行記録処理を済ませておく。さらに、記録再生装置の内部記録媒体に対する記録が終了するタイミングの情報を取得し、当該タイミングにおいて直ちに外部記録装置において映像を継続記録可能なように記録再生装置と同期を取る処理を行う。
【００５４】
ここでの処理において、継続記録を開始することに関して何らかの異常が検出された場合は、図示しない表示出力手段や音声出力手段を介して情報を出力する処理を行う。また、記録再生装置に対して記録媒体の有無の情報や残存容量の情報を送信する処理を行うことも可能である。なお、正常に継続記録を行うことが可能であると判断した場合は、当該情報を記録再生装置に対して送信する処理を行う。
【００５５】
さらにＣＰＵは、記録再生装置から継続記録の開始命令を受信した場合、記録再生装置から受信する映像データをドライブにて記録する処理を行う。ここで、記録再生装置の内部記録媒体に対する記録が終了するタイミングにおいて外部記録装置の継続記録を開始することでシームレスに継続記録を行うことが可能になる。
【００５６】
<処理の流れ：外部記録装置>
図７は、本実施例の外部記録装置の処理の流れの一例を示す図である。同図の処理の流れは以下のステップからなる。まず、ステップＳ０７０１において、記録再生装置から送信される継続記録の準備命令を受信したか否か判断する処理を行う。ここでの判断が受信したとの判断である場合は、ステップＳ０７０２に進む。ここでの判断が受信していないとの判断である場合は、待機する。ステップＳ０７０２において、受信した継続記録準備命令に従って、継続記録が直ちに可能となるスタンバイ状態にする処理を行う。次にステップＳ０７０３において、記録再生装置から送信される開始命令を受信したか否か判断する処理を行う。ここでの判断が受信したとの判断である場合は、ステップＳ０７０４に進む。ここでの判断が受信していないとの判断である場合は、待機する。ステップＳ０７０４において、受信した継続記録開始命令に従って、取得した映像を記録する処理を行う。
【００５７】
<効果>
本実施例の記録再生装置及び外部記録装置を記録再生システムの構成として用いることにより、一のコンテンツが記録再生装置の内部の記録媒体に全て記録できない場合であっても、記録再生装置の内部の残存記録可能領域を有効に利用しつつ、外部記録装置がコンテンツの続きをスムーズに継続記録することが可能になる。
【実施例２】
【００５８】
<概要>
図８は、本実施例の記録再生装置と外部記録装置からなる記録再生システムの概要を示す図である。この図に示すように、記録再生装置（ＴＶ）内の残存再生可能量が十分なときは、特に外部記録装置に対して命令を送信することなく記録再生装置の内部記録媒体（メモリやＨＤ）から再生出力するが、記録再生装置内の残存再生可能量が減ってきたときは記録再生装置の内部記録媒体から再生出力させつつ、外部記録装置（レコーダー）に継続再生出力の準備をさせる。さらに、記録再生装置の残存再生可能容がなくなったときは、外部記録再生装置から継続再生出力を開始させる。当該構成とすることにより、記録再生装置の記録媒体と外部記録装置の記録媒体にまたがっているコンテンツであっても、スムーズに継続再生を行うことが可能になる。
【００５９】
<構成：記録再生装置>  
図９は、本実施例の記録再生装置の機能ブロックの一例を示す図である。この図にあるように、本実施例の「記録再生装置」０９００は、「映像受信部」０９０１と、「表示出力部」０９０２と、「映像入出部」０９０３と、「内部記録部」０９０４と、「残存記録可能容量監視部」０９０５と、「継続記録準備命令送信部」０９０６と、「継続記録開始命令送信部」０９０７と、「残存再生可能量監視部」０９０８と、「継続再生準備命令送信部」０９０９と、「継続再生開始命令送信部」０９１０と、から構成される。以下、実施例１との相違点である「残存再生可能量監視部」０９０８と、「継続再生準備命令送信部」０９０９と、「継続再生開始命令送信部」０９１０と、について説明する。
【００６０】
「残存再生可能量監視部」は、記録再生装置の内部記録媒体から外部記録装置の外部記録媒体にまたがって一のコンテンツが継続記録されている場合に、そのコンテンツの内部記録媒体での残存再生可能量を監視する機能を有する。残存再生可能量監視部は、例えばＣＰＵ、ＭＰＵなどから構成される。
【００６１】
残存再生可能量は、記録再生装置の内部記録媒体から外部記録装置の外部記録媒体にまたがって一のコンテンツが継続記録されている場合に観念される量であり、内部記録媒体に記録された範囲内で継続再生可能な残り時間や残りデータ量などのことをいう。
【００６２】
例えば、コンテンツが２時間の内容である場合に、記録再生装置に１時間記録され、外部記録装置に１時間記録されている場合を考える。この場合、記録再生装置の内部記録媒体からそのコンテンツの５０分の時点の映像を再生しているときは、内部記録媒体での残存再生可能量は１０分間となる。
【００６３】
記録再生装置の内部記録媒体から外部記録装置の外部記録媒体にまたがっているコンテンツの情報は、記録再生装置においてテーブルデータとして保持することが考えられる。当該テーブルデータとしては、例えば図１０のようなものが考えられる。この図の例では、複数の外部記録媒体が存在する場合を想定している。コンテンツＡに関しては、コンテンツの総時間が９０分であり、記録再生装置の内部記録媒体に３５分記録され、残りの５５分については外部記録装置Ｘの外部記録媒体に記録されている。また、コンテンツＢに関しては、コンテンツの総時間が３時間であり、記録再生装置の内部記録媒体に２時間記録され、残りの１時間については外部記録装置Ｙの外部記録媒体で記録されている。このようなテーブルデータは、記録再生装置及び外部記録装置にて記録が行われている際にそれぞれの記録部から記録時間や記録容量の情報を取得して生成することが可能である。テーブルデータは、記録再生装置のみで生成することも可能であるし、外部記録装置においても生成することも可能である。
【００６４】
「継続再生準備命令送信部」は、残存再生可能量監視部での監視結果が内部記録媒体での残存再生可能量が所定量よりも少なくなったとの監視結果である場合に、外部記録装置に対してこのコンテンツの継続再生出力の準備命令を送信する機能を有する。継続再生準備命令送信部は、例えばＣＰＵやＭＰＵ、通信系インターフェイス（有線又は無線を含む）などから構成される。
【００６５】
残存再生可能量の所定量の値は、適宜選択することが可能であるが、例えば外部記録装置が電源ＯＦＦの状態から継続再生出力が直ちに可能な状態にするために要する時間などを基準に設計することが可能である。つまり、当該時間の間に記録再生装置の内部記録媒体から再生される映像データの量を基準とすることが考えられる。当該所定量の値は、外部記録装置の状態・種類などによって変わるものであり、継続再生が可能になるまでの時間を記録再生装置の計時手段によって計時し、外部記録装置の状態・種類に応じて上記判断基準となる所定量の値を変更することも可能である。
【００６６】
また、コンテンツの継続再生出力の準備命令としては、どのコンテンツを継続再生出力するかを通知するための命令なども考えられる。また、スムーズに継続再生を行うための命令を送信することも可能である。例えば、外部記録装置のディスク管理情報を取得して、再生を開始すべきアドレスを特定するための命令や、読取用ヘッドに通電させ、いつでもデータを読取可能な状態にしておくための命令、記録再生装置の内部記録部からの再生出力の終了と外部記録装置の外部記録媒体からの再生出力の開始を同期させるための命令などが考えられる。外部記録装置においてこれらの処理を行うための制御プログラムを予め保持している場合は、記録再生装置から当該制御プログラムを起動するための命令を送信する構成とすることも可能である。
【００６７】
「継続再生開始命令送信部」は、残存再生可能量監視部での監視結果が内部記録媒体での残存再生可能量がなくなるとの監視結果である場合に、外部記録装置に対して継続再生出力の開始命令を送信する機能を有する。継続再生開始命令送信部は、例えばＣＰＵやＭＰＵ、通信インターフェイス（有線又は無線を含む）などから構成される。
【００６８】
ここで、内部記録媒体の残存再生可能量がなくなるとは、例えば継続再生準備命令送信部と同様に、残存再生可能量が第二の所定量よりも少なくなった場合とすることも可能である。当該第二の所定量としては、記録再生装置から継続再生開始命令を外部記録装置に送信して外部記録装置から継続再生すべきコンテンツのデータを取得するまでにかかる時間を基準に設計することが考えられる。当該構成とすることにより、記録再生装置の内部記録媒体により再生するコンテンツの終了時に外部記録装置の外部記録媒体から継続再生すべきコンテンツのデータを取得でき、一のコンテンツをシームレスに継続再生することが可能になる。
【００６９】
<具体的な構成>
本実施例の記録再生装置のハードウェア構成は、基本的に図３で説明した実施例１の映像表示装置のハードウェア構成と同様である。以下実施例１などと相違する処理について説明する。
【００７０】
ＣＰＵは、現在内部記録媒体から再生されている映像のコンテンツが記録再生装置の内部記録媒体から外部記録装置の外部記録装置にまたがって継続記録されているものであるか否か判断する処理を行う。当該判断処理は、例えば記録再生装置の内部記録装置に格納されているコンテンツの記録履歴の情報を利用して行うことが可能である。
【００７１】
コンテンツが記録再生装置の内部記録媒体から外部記録装置の外部記録装置にまたがって継続記録されているものであると判断した場合、ＣＰＵは、そのコンテンツの内部記録媒体での残存再生可能量を検出し、検出した当該情報をＲＡＭに格納する処理を行う。
【００７２】
ここで、残存再生可能量が所定量よりも少なくなったと判断した場合は、ＣＰＵは、ＲＯＭからＲＡＭに読み出した継続再生出力の準備命令を外部記録装置に対して送信する処理を行う。なお、現在再生しているコンテンツを識別するためのＩＤや、残存再生可能量、内部記録媒体からの再生出力が終了するタイミングなどの情報を合わせて準備命令の一部として外部記録装置に対して送信する。
【００７３】
さらに、残存再生可能量がなくなると判断した場合は、ＣＰＵは、ＲＯＭからＲＡＭに読み出した継続再生出力の開始命令を外部記録装置に対して送信する処理を行う。
【００７４】
<処理の流れ：記録再生装置>
図１１は、本実施例の記録再生装置の処理の流れの一例を示す図である。同図の処理の流れは以下のステップからなる。まず、ステップＳ１１０１において、記録再生装置の内部記録媒体から外部記録装置の外部記録媒体にまたがって一のコンテンツが継続記録されている場合に、そのコンテンツの内部記録媒体での残存再生可能量が所定量よりも少なくなったか否か判断する処理を行う。ここでの判断が所定量よりも少なくなったとの判断である場合は、ステップＳ１１０２に進む。ここでの判断が所定量よりも少なくなっていないとの判断である場合は、待機する。ステップＳ１１０２では、外部記録装置に対してこのコンテンツの継続再生出力の準備命令を送信する処理を行う。さらにステップＳ１１０３では、内部記録媒体の残存再生可能量がなくなるか否か判断する処理を行う。ここでの判断がなくなるとの判断である場合は、ステップＳ１１０４に進む。ここでの判断がなくなるとの判断でない場合は、待機する。ステップＳ１１０４では、外部記録装置に対して継続再生出力の開始命令を送信する処理を行う。
【００７５】
<構成：外部記録装置>
図１２は、本実施例の外部記録装置の機能ブロックの一例を示す図である。この図にあるように、本実施例の「外部記録装置」１２００は、「外部映像入出力部」１２０１と、「外部記録部」１２０２と、「継続記録準備命令受信部」１２０３と、「継続記録スタンバイ処理部」１２０４と、「継続記録開始命令受信部」１２０５と、「記録開始部」１２０６と、「継続再生準備命令受信部」１２０７と、「継続再生スタンバイ処理部」１２０８と、「継続再生開始命令受信部」１２０９と、「継続再生開始部」１２１０と、から構成される。以下、実施例１との相違点である「継続再生準備命令受信部」１２０７と、「継続再生スタンバイ処理部」１２０８と、「継続再生開始命令受信部」１２０９と、「継続再生開始部」１２１０と、について説明する。
【００７６】
「継続再生準備命令受信部」は、記録再生装置の継続再生準備命令送信部から送信される準備命令を受信する機能を有する。継続再生準備命令受信部は、例えばＣＰＵやＭＰＵ、通信系インターフェイスなどから構成される。なお、当該通信手段の構成は記録再生装置の継続再生準備命令送信部の通信手段に対応するものである。
【００７７】
「継続再生スタンバイ処理部」は、継続再生準備命令受信部にて受信した継続再生出力の準備命令に従って、記録再生装置に対するコンテンツの継続再生出力が直ちに可能となるスタンバイ状態にする機能を有する。継続再生スタンバイ処理部は、例えばＣＰＵやＭＰＵなどから構成される。
【００７８】
ここで継続再生が直ちに可能となるスタンバイ状態とは、継続再生出力の開始命令の受信と同時に継続再生出力が開始可能な状態をいう。具体的には、外部記録装置の記録ディスクの管理情報を取得して、再生を開始すべきアドレスを特定する処理を行ったり、読取用ヘッドに通電させ、いつでもデータの読み取りを可能な状態にしたりすることも可能である。また、記録再生装置の内部記録媒体から再生されているコンテンツ内容の続きを外部記録装置の外部記録媒体からシームレスに継続再生出力するために、記録再生装置の内部記録媒体による再生終了のタイミングの情報を継続再生出力の準備命令の一部として取得し、記録再生装置の再生と同期を取る構成とすることも可能である。
【００７９】
ここで、継続再生すべきコンテンツが記録された外部記録媒体が挿入されていない場合などは、当該情報を外部記録装置において表示出力したり、音声出力したりする構成も可能である。また、当該情報を記録再生装置に送信し、記録再生装置において表示出力等する構成も可能である。
【００８０】
「継続再生開始命令受信部」は、記録再生装置の継続再生開始命令送信部から送信される継続再生出力の開始命令を受信する機能を有する。継続再生準備命令受信部は、例えばＣＰＵやＭＰＵ、通信系インターフェイス（有線又は無線を含む）などから構成される。
【００８１】
「継続再生開始部」は、継続再生開始命令受信部にて受信した継続再生開始命令に従って、記録再生装置に対するコンテンツの継続再生出力を開始する機能を有する。継続再生開始部は、例えばＣＰＵやＭＰＵなどから構成される。なお、当該通信手段の構成は記録再生装置の継続再生開始命令送信部の通信手段に対応するものである。
【００８２】
また、記録再生装置の内部記録媒体からの映像に対して早送り再生を行っていた場合は、当該早送り再生が継続されるように、当該早送り再生のモード（３倍速、１０倍速など）の情報を記録再生装置から取得しておくことが考えられる。
【００８３】
<具体的な構成>
本実施例の外部記録装置のハードウェア構成は、基本的に図６で説明した実施例１の外部記録装置のハードウェア構成と同様である。以下実施例１などと相違する処理について説明する。
【００８４】
ＣＰＵは、記録再生装置から継続再生出力の準備命令を受信した場合、継続再生出力が直ちに可能となるスタンバイ状態にする処理を行う。具体的には、ドライブ（ＨＤＤ、ＤＶＤ等）を起動し、継続再生出力すべきコンテンツが記録された記録媒体が存在するか否か判断する処理を行う。ここでの処理において、継続再生出力を開始することに関する何らかの異常が検出された場合は、図示しない表示出力手段や音声出力手段を介して情報を出力する処理を行う。また、記録再生装置に対して当該異常情報を送信する処理を行う。なお、正常に継続再生出力を行うことが可能であると判断した場合は、当該情報を記録再生装置に対して送信する処理を行う。
【００８５】
また、記録再生装置の内部記録媒体からの再生出力が終了するタイミングの情報を利用し、当該タイミングにおいて直ちに外部記録装置から映像を継続再生出力可能なように記録再生装置と同期を取る処理を行うことが考えられる。
【００８６】
さらに、残存再生可能量がなくなると判断した場合は、ＣＰＵは、外部記録媒体から継続再生出力すべき映像のデータを取得し、記録再生装置に対して再生出力する処理を行う。つまり、記録再生装置の内部記録媒体からの再生出力が終了するタイミングにおいて外部記録装置からの継続再生出力を行うことでシームレスに継続再生を行うことができる。
【００８７】
<処理の流れ：外部記録装置>
図１３は、本実施例の外部記録装置の処理の流れの一例を示す図である。同図の処理の流れは以下のステップからなる。まず、ステップＳ１３０１において、記録再生装置から送信される継続再生出力の準備命令を受信したか否か判断する処理を行う。ここでの判断が受信したとの判断である場合は、ステップＳ１３０２に進む。ここでの判断が受信していないとの判断である場合は、待機する。ステップＳ１３０２において、受信した継続再生出力の準備命令に従って、記録再生装置に対するコンテンツの継続再生出力が直ちに可能となるスタンバイ状態にする処理を行う。次にステップＳ１３０３において、記録再生装置から送信される継続再生出力の開始命令を受信したか否か判断する処理を行う。ここでの判断が受信したとの判断である場合は、ステップＳ１３０４に進む。ここでの判断が受信していないとの判断である場合は、待機する。ステップＳ１３０４において、受信した継続再生出力の開始命令に従って、記録再生装置に対するコンテンツの継続再生出力を開始する処理を行う。
【００８８】
<効果>
本実施例の記録再生装置及び外部記録装置を記録再生システムの一部として用いることにより、実施例１の効果のみならず、記録再生装置の記録媒体と外部記録装置の記録媒体にまたがっているコンテンツであっても、スムーズに継続再生を行うことが可能になる。
【実施例３】
【００８９】
<概要>
図１４は、本実施例の記録再生装置と外部記録装置からなる記録再生システムの概要を示す図である。この図に示すように、あるコンテンツの外部記録装置（レコーダー）内の巻戻し再生可能量が十分なときは、記録再生装置（ＴＶ）は外部記録装置からの映像を再生する処理を行うのみであるが、当該コンテンツの外部記録装置内の巻戻し再生可能量が減ってきたときは外部記録装置からの映像を再生しつつ、記録再生装置の内部の記録媒体から継続巻戻し再生を行うための準備をする。さらに、当該コンテンツの外部記録装置内の巻戻し再生可能容がなくなったときは、記録再生装置の内部の記録媒体からの再生出力を開始する。当該構成とすることにより、記録再生装置の記録媒体と外部記録装置の記録媒体にまたがっているコンテンツであっても、よりスムーズに継続巻戻し再生を行うことが可能になる。
【００９０】
<構成：記録再生装置>  
図１５は、本実施例の映像表示装置の機能ブロックの一例を示す図である。この図にあるように、本実施例の「記録再生装置」１５００は、「映像受信部」１５０１と、「表示出力部」１５０２と、「映像入出力部」１５０３と、「内部記録部」１５０４と、「残存記録可能容量監視部」１５０５と、「継続記録準備命令送信部」１５０６と、「継続記録開始命令送信部」１５０７と、「巻戻再生可能量監視部」１５０８と、「継続巻戻再生スタンバイ処理部」１５０９と、「継続巻戻再生開始部」１５１０と、から構成される。以下、実施例１との相違点である「巻戻再生可能量監視部」１５０８と、「継続巻戻再生スタンバイ処理部」１５０９と、「継続巻戻再生開始部」１５１０と、について説明する。
【００９１】
「巻戻再生可能量監視部」は、記録再生装置の内部記録媒体から外部記録装置の外部記録媒体にまたがって一のコンテンツが継続記録されている場合に、そのコンテンツの外部記録媒体での巻戻し再生可能量を監視する機能を有する。巻戻再生可能量監視部は、例えばＣＰＵやＭＰＵなどから構成される。
【００９２】
巻戻し再生可能量は、記録再生装置の内部記録媒体から外部記録装置の外部記録媒体にまたがって一のコンテンツが継続記録されている場合に観念される量であり、外部記録媒体に記録された範囲内で巻戻し再生可能な残り時間や残りデータ量などのことをいう。
【００９３】
例えば、コンテンツが２時間の内容である場合に、記録再生装置に１時間半記録され、外部記録装置に３０分記録されている場合を考える。この場合、記録再生装置の外部記録媒体からそのコンテンツの１時間１０分の時点の映像を巻戻し再生しているときは、外部記録媒体での巻戻し再生可能量は１０分間となる。
【００９４】
記録再生装置の内部記録媒体から外部記録装置の外部記録媒体にまたがっているコンテンツの情報は、実施例２で説明した継続再生可能な構成と同様に、記録再生装置においてテーブルデータとして保持することが考えられる。テーブルデータは、記録再生装置で生成して保持することも可能であるし、外部記録装置においても保持することも可能である。
【００９５】
「継続巻戻再生スタンバイ処理部」は、巻戻再生可能量監視部での監視結果が外部記録媒体での巻戻し再生可能量が所定量よりも少なくなったとの監視結果である場合に、このコンテンツの継続巻戻し再生が直ちに可能となるスタンバイ状態にする機能を有する。継続巻戻再生スタンバイ処理部は、例えばＣＰＵやＭＰＵなどから構成される。
【００９６】
ここで継続巻戻し再生が直ちに可能となるスタンバイ状態とは、継続巻戻し再生開始の制御信号の受信と同時に継続巻戻し再生が開始可能な状態をいう。具体的には、継続巻戻しを開始すべき内部記録媒体に記録されたコンテンツの終了時点を特定し、当該時点のデータを即座に取得可能な状態としておくことが考えられる。
【００９７】
また、外部記録装置の外部記録媒体から巻戻し再生されているコンテンツ内容の続きを記録再生装置の内部記録媒体からシームレスに継続巻戻し再生出力するために、外部記録装置の外部記録媒体による巻戻し再生の終了タイミングの情報を取得し、外部記録装置の巻戻し再生と同期を取る構成とすることも可能である。
【００９８】
「継続巻戻再生開始部」は、巻戻再生可能量監視部での監視結果が外部記録媒体での巻戻し再生可能量がなくなるとの監視結果である場合に、このコンテンツの継続巻戻し再生を開始する機能を有する。継続巻戻し再生開始部は、例えばＣＰＵやＭＰＵなどから構成される。
【００９９】
なお、外部記録装置からのコンテンツのデータにより早巻戻し再生を行っていた場合は、当該早巻戻し再生のスピードが同じになるように、当該早巻戻しのモード（３倍速、１０倍速など）の情報を外部記録装置から取得しておくことが考えられる。
【０１００】
<具体的な構成>
本実施例の記録再生装置のハードウェア構成は、基本的に図３で説明した実施例１の映像表示装置のハードウェア構成と同様である。以下実施例１などと相違する処理について説明する。
【０１０１】
ＣＰＵは、現在外部記録装置から入力されている映像のコンテンツが記録再生装置の内部記録媒体から外部記録装置の外部記録装置にまたがって継続記録されているものであるか否か判断する処理を行う。当該判断処理は、例えば記録再生装置の内部記録装置に格納されているコンテンツの記録履歴の情報を利用して行うことが可能である。
【０１０２】
コンテンツが記録再生装置の内部記録媒体から外部記録装置の外部記録装置にまたがって継続記録されているものであると判断した場合、ＣＰＵは、外部記録媒体からの巻戻し再生位置の情報と上記コンテンツの記録履歴の情報を利用して、巻戻し再生可能量を算出して、処理結果をＲＡＭに格納する。
【０１０３】
ここで、巻戻し再生可能量が所定量よりも少なくなったと判断した場合は、ＣＰＵは、記録再生装置の内部記録媒体からそのコンテンツの継続巻戻し再生が直ちに可能となるスタンバイ状態にするための処理を行う。例えば、外部記録装置からの巻戻し再生出力が終了するタイミングを算出し、当該タイミングにおいて直ちに内部記録媒体から映像を継続巻戻し再生可能なように同期を取る処理を行うことが考えられる。
【０１０４】
さらに、巻戻し再生可能量がなくなると判断した場合は、ＣＰＵは、内部記録媒体からの継続巻戻し再生すべき映像のデータを取得し、再生出力する処理を行う。ここで、外部記録装置からの巻戻し再生出力が終了するタイミングにおいて内部記録媒体からの継続巻戻し再生を行うことでシームレスに継続巻戻し再生を行うことができる。
【０１０５】
<処理の流れ：記録再生装置>
図１６は、本実施例の記録再生装置の処理の流れの一例を示す図である。同図の処理の流れは以下のステップからなる。まず、ステップＳ１６０１において、記録再生装置の内部記録媒体から外部記録装置の外部記録媒体にまたがって一のコンテンツが継続記録されている場合に、そのコンテンツの外部記録媒体での巻戻し再生可能量が所定量よりも少なくなったか否か判断する処理を行う。ここでの判断が所定量よりも少なくなったとの判断である場合は、ステップＳ１６０２に進む。ここでの判断が所定量よりも少なくなっていないとの判断である場合は、待機する。ステップＳ１６０２では、このコンテンツの継続巻戻し再生が直ちに可能となるスタンバイ状態にする処理を行う。さらにステップＳ０３では、このコンテンツの巻戻し再生可能量がなくなるか否か判断する処理を行う。ここでの判断がなくなるとの判断である場合は、ステップＳ１６０４に進む。ここでの判断がなくなるとの判断でない場合は、待機する。ステップＳ１６０４では、このコンテンツの継続巻戻し再生を開始する処理を行う。
【０１０６】
<効果>
本実施例の記録再生装置を記録再生システムの一部として用いることにより、実施例１の効果のみならず、記録再生装置の記録媒体と外部記録装置の記録媒体にまたがっているコンテンツであっても、スムーズに継続巻戻し再生を行うことが可能になる。
【実施例４】
【０１０７】
<概要>
図１７は、本実施例の記録再生装置と複数の外部記録装置からなる記録再生システムの概要を示す図である。この図に示すように、記録再生装置（ＴＶ）内の残存記録可能容量が十分なときは、記録再生装置の内部記録媒体（メモリやＨＤ）に記録するが、記録再生装置内の残存記録可能容量が減ってきたときは記録再生装置の内部記録媒体に記録させつつ、優先順位の高い外部記録装置（レコーダーＸ）に継続記録の準備をさせる。さらに、記録再生装置の残存記録可能容量がなくなったときは、当該優先順位の高い外部記録再生装置（レコーダーＸ）に継続記録を開始させる。当該構成とすることにより、スムーズに、かつ、優先順位を利用して選択的に継続記録を行うことが可能になる。
【０１０８】
<構成：記録再生装置>  
図１８は、本実施例の映像表示装置の機能ブロックの一例を示す図である。この図にあるように、本実施例の「記録再生装置」１８００は、「映像受信部」１８０１と、「表示出力部」１８０２と、「映像入出力部」１８０３と、「内部記録部」１８０４と、「残存記録可能容量監視部」１８０５と、「継続記録準備命令送信部」１８０６と、「継続記録開始命令送信部」１８０７と、「優先順位取得部」１８０８と、「優先制御部」１８０９と、から構成される。以下、実施例１との相違点である「優先順位取得部」１８０８と、「優先制御部」１８０９と、について説明する。
【０１０９】
「優先順位取得部」は、複数の外部記録装置に対して継続記録が行われるべき優先順位を取得する機能を有する。優先順位取得部は、例えばＣＰＵやＭＰＵなどから構成される。外部記録装置としては、ＤＶＤレコーダ、ＨＤレコーダ、ＢＤレコーダ、ＵＳＢフラッシュメモリ、パーソナルコンピュータ、など記録装置の機能を有する種々の装置が考えられる。
【０１１０】
優先順位の取得は、予め優先順位の設定入力を受け付けて、当該情報を記憶装置に保持しておき、必要な場合に当該情報を読み出す構成とすることが考えられる。例えば、記録再生装置と接続される外部記録装置として、ＤＶＤ、ＨＤレコーダ、ＢＤレコーダが存在する場合を考える。この場合、記憶装置に保持させる優先順位の情報としては、図１９に示すようなテーブルデータが考えられる。この図の例では、継続記録が行われるべき優先順位として、１番にＨＤレコーダ、２番にＢＤレコーダ、３番にＤＶＤレコーダ、といった順番になっている。
【０１１１】
また、複数の外部記録装置の状態を継続記録の準備命令を送信する時点においてそれぞれ判断し、その時点で優先順位を設定するプログラムを保持する構成も可能である。例えば、継続記録の準備命令を送信する時点において、残存記録可能容量が多いものから選択していく構成としたり、継続記録が直ちに可能となるスタンバイ状態にするために要する処理時間が少ないものから選択したり、データの転送時間が短いものから選択したりする構成も可能である。当該構成として、各外部記録装置から残存記録可能容量の情報や外部記録装置の状態（電源がＯＮになっているか等）の情報を取得するための情報取得手段や、各外部記録装置とのデータの転送速度を計測したりする転送速度計測手段を記録再生装置に設けることが考えられる。
【０１１２】
「優先制御部」は、優先順位取得部により取得された優先順位に従って、映像入出力部と継続記録準備命令送信部と継続記録開始命令送信部とを制御する機能を有する。優先制御部は、例えばＣＰＵやＭＰＵなどから構成される。
【０１１３】
優先順位に従って上記各部を制御するとは、優先順位の高い外部記録装置から優先的に継続記録を行うために映像出力を行ったり、継続記録の準備命令を送信したり、継続記録の開始命令を送信したりすることをいうものである。
【０１１４】
<具体的な構成>
本実施例の記録再生装置のハードウェア構成は、基本的に図３で説明した実施例１の映像表示装置のハードウェア構成と同様である。以下実施例１などと相違する処理について説明する。
【０１１５】
ＣＰＵは、赤外線受光部を介してユーザから複数の外部記録装置の継続記録が行われるべき優先順位の情報を取得し、当該情報を内部記録装置の所定のアドレスに格納する。さらに、ＣＰＵは、継続記録の準備命令を送信する前において、内部記録装置に格納されている上記優先順位の情報をＲＡＭに読み出す。
【０１１６】
ユーザから優先順位に関する情報を受信していない場合は、ＲＯＭに格納されている優先順位決定プログラムをＲＡＭに読み出して、複数の外部記録装置の継続記録が行われるべき優先順位を決定し、ＲＡＭに格納する処理を行う。当該プログラムの具体的な処理としては、各外部記録装置に対して残存記録可能容量の情報を要求し、残存記録可能容量の大きいものから高い優先順位に設定することなどが考えられる。また、各外部記録装置に対して現在の状態の情報を要求し、継続記録が直ちに可能となるスタンバイ状態に近い状態のものから高い優先順位に設定することも可能である。
【０１１７】
上記処理により複数の外部記録装置の優先順位が決定すると、ＣＰＵは、優先順位の一番高い外部記録装置に対して継続記録の準備命令を送信する処理を行う。ここで、当該外部記録装置が継続記録を行う上での何らかの異常を示している場合は、次に優先順位の高い外部記録装置に対して継続記録の準備命令を送信する処理を行う。選択した外部記録装置が正常に継続記録を行うことができると判断した場合は、ＣＰＵは、所定タイミングで当該外部記録装置に対して継続記録の開始命令を送信し、継続記録を行うべき映像を出力する処理を行う。その他の処理に関しては、実施例１などと同様であるから説明を省略する。
【０１１８】
<処理の流れ>
図２０は、本実施例の記録再生装置の処理の流れの一例を示す図である。同図の処理の流れは以下のステップからなる。まず、ステップＳ２００１において、内部記録媒体の残存記録可能容量が所定容量よりも少なくなったか否か判断する処理を行う。ここでの判断が所定容量よりも少なくなったとの判断である場合は、ステップＳ２００２に進む。ここでの判断が所定容量よりも少なくなっていないとの判断である場合は、待機する。ステップＳ２００２では、複数の外部記録装置の継続記録が行われるべき優先順位を取得する。ステップＳ２００３では、取得された優先順位に従って、継続記録が行われるべき外部記録装置を選択する。ステップＳ２００４では、上記優先順位に従って選択された外部記録装置に対して継続記録の準備命令を送信する処理を行う。さらにステップＳ２００５では、内部記録媒体の記録可能容量がなくなるか否か判断する処理を行う。ここでの判断がなくなるとの判断である場合は、ステップＳ２００６に進む。ここでの判断がなくなるとの判断でない場合は、待機する。ステップＳ２００６では、上記優先順位に従って選択された外部記録装置に対して継続記録の開始命令を送信する処理を行う。
【０１１９】
<効果>
本実施例の記録再生装置を記録再生システムの一部として用いることにより、実施例１の効果のみならず、優先順位の高い外部記録装置から選択的にスムーズな継続記録を行うことが可能になる。
【符号の説明】
【０１２０】
０２００…記録再生装置、０２０１…映像受信部、０２０２…表示出力部、０２０３…映像入出力部、０２０４…内部記録部、０２０５…残存記録可能容量監視部、０２０６…継続記録準備命令送信部、０２０７…継続記録開始命令送信部、０３０１…ＣＰＵ、０３０２…ＲＯＭ、０３０３…ＲＡＭ、０３０４…チューナ、０３０５…画像／音声処理回路、０３０６…内部記録装置（ＨＤＤ等）、０３０７…インターフェイス、０３０８…ＨＤＭＩインターフェイス、０３０９…表示制御回路、０３１０…ディスプレイ、０３１１…赤外線受光部、０３１２…バス、０５００…外部記録装置、０５０１…外部映像入出力部、０５０２…外部記録部、０５０３…継続記録準備命令受信部、０５０４…継続記録スタンバイ処理部、０５０５…継続記録開始命令受信部、０５０６…記録開始部、０６０１…ＣＰＵ、０６０２…ＲＯＭ、０６０３…ＲＡＭ、０６０４…ドライブ（ＨＤＤ、ＤＶＤ等）、０６０５…インターフェイス、０６０６…ＨＤＭＩインターフェイス、０６０７…赤外線受光部、０６０８…バス、０９０８…残存再生可能量監視部、０９０９…継続再生準備命令送信部、０９１０…継続再生開始命令送信部、１２０７…継続再生準備命令受信部、１２０８…継続再生スタンバイ処理部、１２０９…継続再生開始命令受信部、１２１０…継続再生開始部、１５０８…巻戻し再生可能量監視部、１５０９…継続巻戻再生スタンバイ処理部、１５１０…継続巻戻再生開始部、１８０８…優先順位取得部、１８０９…優先制御部
【図１】
2011211637.tif 000003
【図２】
2011211637.tif 000004
【図３】
2011211637.tif 000005
【図４】
2011211637.tif 000006
【図５】
2011211637.tif 000007
【図６】
2011211637.tif 000008
【図７】
2011211637.tif 000009
【図８】
2011211637.tif 000010
【図９】
2011211637.tif 000011
【図１０】
2011211637.tif 000012
【図１１】
2011211637.tif 000013
【図１２】
2011211637.tif 000014
【図１３】
2011211637.tif 000015
【図１４】
2011211637.tif 000016
【図１５】
2011211637.tif 000017
【図１６】
2011211637.tif 000018
【図１７】
2011211637.tif 000019
【図１８】
2011211637.tif 000020
【図１９】
2011211637.tif 000021
【図２０】
2011211637.tif 000022